(57)【要約】【課題】分包の過程で錠剤が割れることに起因して追加の分包を行う際のユーザの手間を削減することが可能な仕組みを提供すること。【解決手段】処方データに従って、錠剤を収容する錠剤収容部から錠剤を取り出して当該錠剤を包装する包装装置に供給する供給部と、供給部から供給された錠剤が通過する経路部に設けられ、当該経路部を通過する錠剤を検知する検知部とを備える錠剤供給装置と通信可能な情報処理装置において、検知部で第１の錠剤を検知してから、次に供給部から錠剤が供給されるまでの間に第２の錠剤を検知したと判定されることを条件に、第１の錠剤、または第２の錠剤に基づいて処方データを生成する。【選択図】図９
2019058591.tif 000002
【特許請求の範囲】
【請求項１】
処方データに従って、錠剤を収容する錠剤収容部から錠剤を取り出して当該錠剤を包装する包装装置に供給する供給部と、前記供給部から供給された錠剤が通過する経路部と、前記経路部に設けられ、当該経路部を通過する錠剤を検知する検知部とを備える錠剤供給装置と通信可能な情報処理装置であって、
前記検知部で第１の錠剤を検知してから、次に前記供給部から錠剤が供給されるまでの間に第２の錠剤を検知したかを判定する判定手段と、
前記判定手段により、次に前記供給部から錠剤が供給されるまでの間に前記第２の錠剤を検知したと判定されることを条件に、前記第１の錠剤、または前記第２の錠剤に基づいて処方データを生成する生成手段と
を備えることを特徴とする情報処理装置。
【請求項２】
前記生成手段により生成される処方データとは、前記第１の錠剤と前記第２の錠剤とが包装される包に包装される錠剤すべての処方データであることを特徴とする請求項１に記載の情報処理装置。
【請求項３】
前記生成手段により前記処方データを作成するかの選択を受け付ける選択画面を表示する表示手段を備え、
前記生成手段は、前記選択画面を介して当該生成手段により前記処方データを作成するとの選択を受け付けると、前記処方データを生成することを特徴とする請求項１または２のいずれか１項に記載の情報処理装置。
【請求項４】
前記判定手段により前記検知部で前記第１の錠剤を検知してから次に前記供給部から錠剤が供給されるまでの間に前記第２の錠剤を検知したと判定されると、前記第１の錠剤と前記第２の錠剤とが包装される分包紙に、割れた錠剤が包装されている可能性があることをユーザが認識可能な情報を印字するように前記包装装置に指示する指示手段と
を備えることを特徴とする請求項１乃至３のいずれか１項に記載の情報処理装置。
【請求項５】
前記第１の錠剤と前記第２の錠剤とは、前記錠剤収容部から取り出される前は１つの錠剤であることを特徴とする請求項１乃至４のいずれか１項に記載の情報処理装置。
【請求項６】
前記第１の錠剤と前記第２の錠剤は、同一の包に包装されることを特徴とする請求項１乃至５のいずれか１項に記載の情報処理装置。
【請求項７】
処方データに従って、錠剤を収容する錠剤収容部から錠剤を取り出して当該錠剤を包装する包装装置に供給する供給部と、前記供給部から供給された錠剤が通過する経路部と、前記経路部に設けられ、当該経路部を通過する錠剤を検知する検知部とを備える錠剤供給装置と通信可能な情報処理装置の制御方法であって、
前記検知部で第１の錠剤を検知してから、次に前記供給部から錠剤が供給されるまでの間に第２の錠剤を検知したかを判定する判定工程と、
前記判定工程により、次に前記供給部から錠剤が供給されるまでの間に前記第２の錠剤を検知したと判定されることを条件に、前記第１の錠剤、または前記第２の錠剤に基づいて処方データを生成する生成工程と
を備えることを特徴とする情報処理装置の制御方法。
【請求項８】
処方データに従って、錠剤を収容する錠剤収容部から錠剤を取り出して当該錠剤を包装する包装装置に供給する供給部と、前記供給部から供給された錠剤が通過する経路部と、前記経路部に設けられ、当該経路部を通過する錠剤を検知する検知部とを備える錠剤供給装置と通信可能な情報処理装置で読み取り実行可能なプログラムであって、
前記情報処理装置を、
前記検知部で第１の錠剤を検知してから、次に前記供給部から錠剤が供給されるまでの間に第２の錠剤を検知したかを判定する判定手段と、
前記判定手段により、次に前記供給部から錠剤が供給されるまでの間に前記第２の錠剤を検知したと判定されることを条件に、前記第１の錠剤、または前記第２の錠剤に基づいて処方データを生成する生成手段として機能させることを特徴とするプログラム。
【発明の詳細な説明】
【技術分野】
【０００１】
本発明は、情報処理装置、情報処理装置の制御方法、およびプログラムに関し、特に、分包の過程で錠剤が割れることに起因して追加の分包を行う際のユーザの手間を削減することが可能な仕組みに関する。
【背景技術】
【０００２】
従来、調剤業務において、ＰＴＰシート（錠剤シートともいい、以下錠剤シートと称する）で提供されている錠剤（薬）の一包化を行うためには、人の手によって錠剤シートから錠剤を１回分の錠剤数ずつ取り出し、分包機へセットする必要があり、作業が煩雑であった。
【０００３】
上記課題を解決するために、特許文献１では、錠剤シートから錠剤を除包し、錠剤を１回飲用分宛プラスチック製小瓶等の適宜容器に入れて投与する錠剤供給装置が提案されている。
【０００４】
特許文献１は、具体的には、錠剤シートから錠剤を取り出す錠剤供給装置を複数台用意し、複数台の錠剤供給装置で取り出された錠剤を、下方の集合部で集めて、小瓶等の容器に入れることが記載されている。
【先行技術文献】
【特許文献】
【０００５】
【特許文献１】特開２００４−１９４８８９号公報
【発明の概要】
【発明が解決しようとする課題】
【０００６】
ところで、特許文献１に示すように自動で錠剤を取り出して供給する装置では、錠剤を取り出す際や、取り出された錠剤が容器に集積されるまでの経路で錠剤が割れる可能性があった。
【０００７】
そうすると、特許文献１のように錠剤を小瓶等の容器に入れるのではなく、そのまま分包紙に分包するような分包機に特許文献１に記載の技術を用いた場合、割れた錠剤が分包紙に分包されることになるが、割れた錠剤が分包された分包紙をそのまま患者に渡すと、錠剤が割れていることに関して患者からクレームが来る恐れがあるため、患者に渡すわけにはいかなかった。
【０００８】
そのため、取り出された錠剤をそのまま分包紙に分包するような分包機においては、割れた錠剤が分包された分包紙がないか、分包後に薬剤師が１包１包チェックし、該当する分包紙がある場合には、その包に分包されていた錠剤分の処方データをＰＣや分包機を介して手動で作成し、再度分包する必要があったため、非常に手間がかかる恐れがあった。
【０００９】
本発明は、分包の過程で錠剤が割れることに起因して追加の分包を行う際のユーザの手間を削減することが可能な仕組みを提供することを目的とする。
【課題を解決するための手段】
【００１０】
本発明は、処方データに従って、錠剤を収容する錠剤収容部から錠剤を取り出して当該錠剤を包装する包装装置に供給する供給部と、前記供給部から供給された錠剤が通過する経路部と、前記経路部に設けられ、当該経路部を通過する錠剤を検知する検知部とを備える錠剤供給装置と通信可能な情報処理装置であって、前記検知部で第１の錠剤を検知してから、次に前記供給部から錠剤が供給されるまでの間に第２の錠剤を検知したかを判定する判定手段と、前記判定手段により、次に前記供給部から錠剤が供給されるまでの間に前記第２の錠剤を検知したと判定されることを条件に、前記第１の錠剤、または前記第２の錠剤に基づいて処方データを生成する生成手段とを備えることを特徴とする。
【００１１】
また、本発明は、処方データに従って、錠剤を収容する錠剤収容部から錠剤を取り出して当該錠剤を包装する包装装置に供給する供給部と、前記供給部から供給された錠剤が通過する経路部と、前記経路部に設けられ、当該経路部を通過する錠剤を検知する検知部とを備える錠剤供給装置と通信可能な情報処理装置の制御方法であって、前記検知部で第１の錠剤を検知してから、次に前記供給部から錠剤が供給されるまでの間に第２の錠剤を検知したかを判定する判定工程と、前記判定工程により、次に前記供給部から錠剤が供給されるまでの間に前記第２の錠剤を検知したと判定されることを条件に、前記第１の錠剤、または前記第２の錠剤に基づいて処方データを生成する生成工程とを備えることを特徴とする。
【００１２】
また、本発明は、処方データに従って、錠剤を収容する錠剤収容部から錠剤を取り出して当該錠剤を包装する包装装置に供給する供給部と、前記供給部から供給された錠剤が通過する経路部と、前記経路部に設けられ、当該経路部を通過する錠剤を検知する検知部とを備える錠剤供給装置と通信可能な情報処理装置で読み取り実行可能なプログラムであって、前記情報処理装置を、前記検知部で第１の錠剤を検知してから、次に前記供給部から錠剤が供給されるまでの間に第２の錠剤を検知したかを判定する判定手段と、前記判定手段により、次に前記供給部から錠剤が供給されるまでの間に前記第２の錠剤を検知したと判定されることを条件に、前記第１の錠剤、または前記第２の錠剤に基づいて処方データを生成する生成手段として機能させることを特徴とする。
【発明の効果】
【００１３】
本発明によると、分包の過程で錠剤が割れることに起因して追加の分包を行う際のユーザの手間を削減することができる。
【図面の簡単な説明】
【００１４】
【図１】包装装置と錠剤供給装置を含む錠剤供給システム（分包システム）を示す図。
【図２】錠剤供給装置１０を正面側から見た図。
【図３】錠剤取出ユニット１を正面側から見た図。
【図４】錠剤取出ユニット１の内部構造（断面）を示す図。
【図５】錠剤供給装置１０の内部構造を示す図。
【図６】包装ユニットの内部構造を示す図。
【図７】錠剤供給装置１０の内部を横（正面から見て右側）から見た図。
【図８】導入シュートの内部が分かるようにした簡略断面図。
【図９】導入シュートの内部が分かるようにした簡略断面図。
【図１０】処方データを取得してから分包されるまでの薬剤供給処理の一例を示す図。
【図１１】錠剤供給装置１０のメモリで記憶する処方データの一例を示す図。
【図１２】包装装置５により分包後の分包紙のイメージの一例を示す図。
【図１３】本発明に係る錠剤供給システムのハードウェア構成の一例を示す図。
【図１４】処方データを取得してから分包されるまでの薬剤供給処理の一例を示す図。
【図１５】選択画面の一例を示す図。
【発明を実施するための形態】
【００１５】
以下、図面を参照して、本発明の実施形態を詳細に説明する。なお、以下説明する実施形態は、本発明を具体的に実施した場合の一例を示すもので、特許請求の範囲に記載した構成の具体的な実施形態の１つである。
【００１６】
以下、図面を用いて、本発明の錠剤供給システム（図１）について説明する。
【００１７】
まず、図１について説明する。
【００１８】
図１は、錠剤供給装置１０、及び錠剤供給装置１０から供給された錠剤を包装する包装装置５と、錠剤供給装置１０、および包装装置５と通信可能なＰＣ３００とを含む錠剤供給システム（分包システム）を示す図である。
【００１９】
包装装置５、および錠剤供給装置１０は、薬剤分包機、分包機ともいう。また、錠剤供給装置１０は、錠剤取出し装置ともいう。
【００２０】
錠剤供給装置１０のＣＰＵや、ＰＣ３００は、本発明における情報処理装置の一例である。
【００２１】
錠剤供給装置１０は、錠剤シートから錠剤を取り出す１または複数の錠剤取出ユニット１と、錠剤取出ユニット１で取り出された錠剤を供給する錠剤供給ユニット４００とを備えている。
【００２２】
錠剤供給装置１０は、錠剤取出ユニット１により錠剤シート（ＰＴＰシート）から錠剤を取り出して、錠剤供給ユニット４００の供給経路を経て、包装装置５に供給する。錠剤供給装置１０は、図１に示す通り、複数の錠剤取出ユニット１を備えている。
【００２３】
錠剤供給装置１０は、１又は複数の錠剤を、それぞれ錠剤収容部に封入された錠剤シート（ＰＴＰシート）から錠剤を取り出して供給する。
【００２４】
錠剤供給装置１０は複数の錠剤取出ユニット１を備えているが、錠剤取出ユニット１の数は１でもよい。
【００２５】
錠剤取出ユニット１は、本発明における、処方データに従って、錠剤を収容する錠剤収容部から錠剤を取り出して当該錠剤を包装する包装装置に供給する供給部の一例である。
【００２６】
なお、他の実施形態として、手作業で錠剤シートから取り出した錠剤を溜めて供給するカセットを、錠剤取出ユニット１の代わりに設けても良く、その場合、当該カセットが本発明における供給部の一例である。
【００２７】
包装装置５は、錠剤供給装置１０の錠剤取出ユニット１から供給された錠剤を包装する装置である。
【００２８】
１０１は、ディスプレイであり、ディスプレイ１０１に表示される画面上で、処方データの入力や分包開始指示をユーザから受け付けることが可能である。なお、処方データの入力や分包開始指示はＰＣ３００上でも受け付けることができる。
【００２９】
１０３は、散薬投入部であり、分包される散薬が投入される部である。また、散薬投入部１０３に投入された散薬を投薬１回分に分けられて、分けられた１回分の散薬を後述するメインホッパー５０５に入れられ、１回分ずつに分包される。
【００３０】
次に、図２を用いて、錠剤供給装置１０について説明する。図２は、錠剤供給装置１０を示す図であり、錠剤供給装置１０を正面側から見た図である。
【００３１】
２０３は、錠剤シートを錠剤取出ユニット１に投入する投入口である。
【００３２】
次に、図３を用いて、錠剤取出ユニット１の内部構造について説明する。
【００３３】
図３は、錠剤取出ユニット１の内部構造を示す図であり、錠剤取出ユニット１を正面側から見た図である。なお、図３は、錠剤取出ユニット１が、２つ並んでいる図を示している。
【００３４】
錠剤取出ユニット１は、錠剤シート５１を搬送する搬送機構と、搬送機構により搬送された錠剤シート５１が載置される載置台と、載置台上の錠剤シート５１の錠剤収容部を押圧して錠剤を取り出す押出し機構とを有している。
【００３５】
錠剤シート５１は、錠剤を収容する錠剤収容部（ポケットともいう）を有するシート本体の下面に、アルミニウム等からなる金属箔などを用いた封止シートを設けることによって錠剤が錠剤収容部に密封されたものである。
【００３６】
錠剤シート５１は、シート部上に凸状の錠剤収容部が幅方向に間隔をおいて２列に並んだ形態である。各列をなす複数の錠剤収容部は錠剤シート５１の長さ方向に沿って並んでいる。
【００３７】
ここで、さらに、図４を用いて、錠剤取出ユニット１の内部構造について説明する。
【００３８】
図４は、錠剤取出ユニット１の内部構造（断面）を示す図であり、錠剤シートの投入口２０３に錠剤シートをセットし、錠剤シートを除包位置（錠剤の取出位置）まで搬送を行った際の図である。
【００３９】
錠剤取出ユニット１は、錠剤シートを搬送する錠剤シート搬送機構（搬送機構）と、錠剤シートが載置される載置台１８と、錠剤シートから錠剤を取り出す錠剤取出機構（押出し機構）とを備えている。
【００４０】
３９は、下部ローラである。
【００４１】
錠剤シート搬送機構は、錠剤シート５１を進行方向に向け搬送するものであって、進行方向に互いに間隔をおいて設けられた下部ローラ３９と、進行方向に互いに間隔をおいて設けられた上部ローラとを備えている。
【００４２】
搬送機構は、錠剤収容部の押圧を継続する前に載置台１８上の押圧される位置から所定の距離だけ錠剤シート５１をさらに搬送し、押出し機構が、錠剤収容部の押圧を継続（リトライ）する。
【００４３】
下部ローラ３９は、駆動源により回転駆動可能であり、錠剤シート部の下面に当接して錠剤シート５１に進行方法への力を加えることができる。
【００４４】
上部ローラは、駆動源により回転駆動可能であり、錠剤シート部の上面に当接して錠剤シート５１に進行方向への力を加えることができる。
【００４５】
上部ローラの幅方向の位置は、２列の錠剤収容部の間に相当する位置であるため、上部ローラは錠剤収容部５２に当接することはない。
【００４６】
下部ローラ３９と上部ローラは、錠剤シート部を上下から挟み込んで錠剤シートを進行方向に搬送できる。さらに、下部ローラ３９と上部ローラは錠剤シート部を上下から挟み込んで錠剤シート５１を進行方向とは逆の方向にも搬送できる。
【００４７】
２４は、導入シュートである。
【００４８】
導入シュート２４は、載置台の下面側に設けられており、錠剤シート５１から取り出された錠剤を、後述する錠剤導入路４０１に導くものである。すなわち、導入シュート２４は、載置台の下面側に排出口を有しており、錠剤シート５１から取り出された錠剤はその排出口を通り、後述する錠剤導入路４０１に落ちていく。
【００４９】
導入シュート２４は、本発明における、前記供給部から供給された錠剤が通過する経路部の一例である。
【００５０】
錠剤取出ユニット１は、載置台１８上の錠剤シート５１の錠剤収容部を押圧する速度を変更させる変更機構をさらに有している。
【００５１】
押出し機構は、より高速に変更された速度で錠剤収容部の押圧を継続（リトライ）する。
【００５２】
押出し機構は、錠剤収容部の中央付近を押圧する内側押圧体８３と、中央付近よりも外側の部分を押圧する外部押圧体８４とを含んでいる。
【００５３】
内側押圧体８３と外部押圧体８４とが独立して動作することで錠剤シートの錠剤収容部を押圧して、錠剤シートから錠剤を取り出す。
【００５４】
押出し機構は、内側押圧体８３よりも先に外部押圧体８４により錠剤収容部を押圧させる。
【００５５】
内側押圧体８３の先端は、ほとんどの錠剤シート５１の錠剤収容部よりも面積が狭いので、内側押圧体８３は錠剤を取り出す場合（下降した場合）に、錠剤シートに開いた穴から先端が突き出る。
【００５６】
外部押圧体８４の先端は、ほとんどの錠剤シート５１の錠剤収容部よりも面積が広いので、錠剤を取り出す場合（下降した場合）に、錠剤シート５１に開いた穴から先端が突き出ない。つまり、錠剤シート５１の錠剤収容部を押し潰すためのものである。
【００５７】
錠剤取出機構（押出し機構）は、外部押圧体８４を昇降させる第１昇降機構と、内側押圧体８３を昇降させる第２昇降機構とを有する。
【００５８】
第１昇降機構は、外部押圧体８４が取り付けられた第１昇降体９３と、回転駆動して第１昇降体９３を昇降させるカム９４と、第１昇降体９３を上昇方向に付勢する付勢部材（ばね）とを備えている。
【００５９】
第１昇降体９３は、前後方向にわたって延在する柱状体であり、前端部に外部押圧体８４が取り付けられている。カム９４は、外部押圧体８４の昇降動作を考慮して設計された形状の板状体であり、駆動機構によって回転駆動する軸部に固定されている。
【００６０】
カム９４は、第１昇降体９３の上面側に設けられ、軸部の回転に伴って回転駆動し、第１昇降体９３を押圧することによって高さ位置を調整し、これによって外部押圧体８４の高さ位置を調整する（外部押圧体８４の昇降動作を行う）ことができる。第１昇降機構は、カムの回転動作のタイミング、カムの形状、軸部に対するカムの固定位置などの設定によって、外部押圧体８４の昇降動作のタイミングや変位量を任意に設定できる。
【００６１】
第２昇降機構は、内側押圧体８３が取り付けられた第２昇降体９８と、回転駆動して第２昇降体９８を昇降させるカム９９と、第２昇降体９８を上昇方向に付勢する付勢部材（ばね）とを備えている。
【００６２】
第２昇降体９８は、前後方向にわたって延在する柱状体であり、前端部に内側押圧体８３が取り付けられている。カム９９は、第２昇降体９８の上面側に設けられ、軸部の回転に伴って回転駆動し、第２昇降体９８を押圧して高さ位置を調整し、これによって内側押圧体８３の高さ位置を調整する（内側押圧体８３の昇降動作を行う）ことができる。第２昇降機構は、カム９９の回転動作のタイミング、カムの形状、軸部に対するカムの固定位置などの設定によって、内側押圧体８３の昇降動作のタイミングや変位量を任意に設定できる。
【００６３】
このため、カム９４とカム９９は、それぞれ第１昇降体と第２昇降体に対して互いに独立に動作可能であり、内側押圧体８３と外部押圧体８４は、互いに独立に昇降動作させることができる。
【００６４】
錠剤取出機構における２つのカムの回転動作のタイミング等は、錠剤位置検出機構の検出部からの信号に基づいて定めることができる。具体的には、検出された錠剤収容部の位置に合わせて内側押圧体８３と外部押圧体８４を動作させることができる。
【００６５】
錠剤取出ユニット１は、錠剤シートの錠剤収容部の押圧をする前に、押圧される錠剤収容部の長さを検出する検出機構１７をさらに有している。
【００６６】
錠剤供給装置は、検出した錠剤収容部の長さに基づいて所定の距離を算出する算出手段をさらに有している。
【００６７】
検出機構１７は、押圧される錠剤収容部の長さを検出するとともに押圧される錠剤収容部の位置をさらに検知する。
【００６８】
錠剤供給装置１０は、検知された錠剤シートの錠剤収容部の位置に基づいて、押圧される位置までの搬送距離を算出する算出手段をさらに有する。
【００６９】
搬送機構（下部ローラ３９、上部ローラ）は、搬送距離により載置台１８上の錠剤収容部が押圧される位置まで錠剤シートを搬送する。
【００７０】
搬送機構は、所定の距離だけ前方または後方に錠剤シート５１を搬送する。
【００７１】
次に、図５を用いて、錠剤供給装置１０の内部構造について説明する。
【００７２】
図５は、錠剤供給装置１０の内部構造を示す図である。
【００７３】
なお、図５は、錠剤供給装置１０を背面側（裏側）から見た図である。
【００７４】
２０４は、光学センサ（ビームセンサ）であり、落下物を検知するものである。除包された錠剤が導入シュート２４内を落下する際、除包された錠剤がビームセンサ上を通過し、ビームセンサを遮光する。このビームセンサが遮光された状態をＯＮ状態とし、遮光されていない状態をＯＦＦ状態とする。このＯＮ／ＯＦＦ状態を用いて落下物の有無の判定を行う。錠剤落下検出機構は、光学センサ２０４と落下錠剤カウンタとを有する。
【００７５】
錠剤供給装置１０は、押圧により錠剤収容部から錠剤が取り出されたか否かを判定するべく、取り出された錠剤を検知する検知機構（光学センサ２０４）を有している。
【００７６】
押出し機構は、取り出された錠剤が検知されない場合には錠剤収容部の押圧を継続（リトライ）し、取り出された錠剤が検知された場合には錠剤収容部の押圧を継続（リトライ）しない。
【００７７】
４０１は、錠剤導入路である。錠剤導入路４０１は、導入シュート２４と導通しており、錠剤シートから取り出され落下した錠剤を導入シュート２４から第１集積ホッパーに中継する。
【００７８】
次に、図６を用いて、包装ユニット７０１の内部構造について説明する。図６は、包装ユニット７０１の内部構造を示す図である。
【００７９】
５０５は、メインホッパーである。メインホッパー５０５は、錠剤取出ユニット１により取り出され、錠剤導入路４０１を通過した錠剤（１回分）を集積し、包装シート（分包紙）の中に集積した錠剤を投入する。
【００８０】
包装ユニット７０１は、包装装置５内のユニットである。７０２は、包装シートが連なるロール紙（分包紙がロール状になっている紙）を包装機構に送り出すロール紙送出機構である。
【００８１】
７０３は、メインホッパー５０５内に集積された錠剤（１回分の錠剤）が包装シートの中に投入され、当該包装シートを加熱し溶着することにより、包装シートの中に投入された錠剤を、包装シートの中に封入する（包装機構）。
【００８２】
７０４は、メインホッパー５０５内に集積された錠剤が包装シートの中に投入され、当該包装シートを加熱し溶着することにより、包装シートの中に投入された錠剤を、包装シートの中に封入する（包装機構）。
【００８３】
すなわち、包装機構７０３と、包装機構７０４とで、包装シートを加熱し溶着することにより、包装シートの中に投入された錠剤を、包装シートの中に封入する。
【００８４】
７０５は、連なるロール紙を１包毎の包装シートに分断するための分断用ミシン目を包装シートに形成する。（分断機構）７０６はプリンタであり、包装シートに、日付、患者データ、エラー情報を印字する（印字機構）。
【００８５】
図６に示すように、包装ユニットにより、投薬１回分の錠剤が分包される。
【００８６】
次に、図７を用いて、錠剤供給装置１０の錠剤供給ユニット４００が備える各構成について説明する。図７は、錠剤供給装置１０の内部を横（正面から見て右側）から見た図である。
【００８７】
図７に示す点線の矢印７１０は、錠剤取出ユニット１から取り出された錠剤の移動経路を示している。
【００８８】
４０２は、第１集積ホッパーである。第１集積ホッパー４０２は、錠剤取出ユニット１により、錠剤シートから取り出された錠剤が導入シュート２４を落下して通り、そして、導入シュート２４から錠剤導入路４０１を通り、該錠剤が集積される部である。
【００８９】
すなわち、錠剤導入路４０１は、第１集積ホッパー４０２と直接、導通している。
【００９０】
５０１は、第２集積ホッパーである。第２集積ホッパー５０１は、第１集積ホッパー４０２で集積された錠剤をさらに集積する。
【００９１】
すなわち、第２集積ホッパー５０１は、第１集積ホッパー４０２と導通している。そのため、第１集積ホッパー４０２に落ちてきた錠剤５０は、第２集積ホッパー５０１に落ちて集積される。
【００９２】
５０２は、第１の送り出し機構である。第１の送り出し機構５０２は、第２集積ホッパーに集積された錠剤５０を第３の集積ホッパーに移動させる。
【００９３】
５０３は、第３集積ホッパーである。第３集積ホッパー５０３は、第１の送り出し機構５０２により送り出（移動）された錠剤を集積する。
【００９４】
５０４は、第２の送り出し機構である。第２の送り出し機構５０４は、第３集積ホッパーに集積された錠剤をメインホッパー５０５に移動させる。
【００９５】
最上段の錠剤取出ユニット１の導入シュート２４の出口から、第１の傾斜部１４０１までの距離は、約４６０ｍｍであり、中段の錠剤取出ユニット１の導入シュート２４の出口から、第１の傾斜部１４０１までの距離は、約２６５ｍｍである。
【００９６】
また、第１集積ホッパー４０２の長さは、約３６２ｍｍである。すなわち、最下段の錠剤取出ユニット１の導入シュート２４の出口から、第２集積ホッパー５０１までの距離は、約３６２ｍｍである。
【００９７】
各段の錠剤取出ユニット１で、錠剤シートから錠剤が取り出されると、錠剤は、導入シュート２４を通り、導入シュート２４の出口から、錠剤導入路４０１を通り、そして、第１集積ホッパー４０２に入り、第２集積ホッパー５０１に集積される。
【００９８】
図８は、導入シュートの内部が分かるようにした簡略断面図である。錠剤収容部５２（ａ）は錠剤が取り出された空の錠剤収容部を示し、錠剤収容部５２（ｂ）は錠剤が入っている錠剤収容部を示している。
【００９９】
錠剤シート５１の錠剤収容部５２から取り出された錠剤５０は、導入シュート２４に入る。導入シュート２４内には、光学センサ（ビームセンサ）２０４が設けられており、除包された錠剤が導入シュート２４内を落下する際、除包された錠剤がビームセンサ上を通過し、ビームセンサを遮光する。このビームセンサが遮光された状態をＯＮ状態とし、遮光されていない状態をＯＦＦ状態とする。このＯＮ／ＯＦＦ状態を検出して落下物の有無の判定を行う。光学センサ（ビームセンサ）２０４による信号の検出は、導入シュート２４の外部に取り付けられた光学センサ基板により処理される。錠剤シート５１から取り出され、導入シュート２４内を落下する錠剤は導入シュート２４の錠剤出口８０１から出て、錠剤導入路４０１に落ちていく。
【０１００】
光学センサ２０４は、本発明における、経路部を通過する錠剤を検知する検知部の一例である。
【０１０１】
図９は、導入シュートの内部が分かるようにした簡略断面図であり、錠剤収容部５２から取り出された錠剤５０が割れた状態を示している。
【０１０２】
錠剤が割れる原因としては、錠剤が柔らかい種類の錠剤（口腔内崩壊錠）であるために、内側押圧体８３や外部押圧体８４で錠剤収容部５２を押圧した際に割れてしまったり、錠剤シート５１から取り出された錠剤５０が導入シュート２４と接触した際に割れてしまったりすることが考えられる。
【０１０３】
割れた錠剤は、導入シュート２４、錠剤導入路４０１等を通過後、メインホッパー５０５を介して他の同一服用タイミングの錠剤と一緒に分包紙に分包されるが、割れた錠剤が分包された分包紙をそのまま患者に渡すと、錠剤が割れていることに関して患者からクレームが来る恐れがあるため、患者に渡すわけにはいかなかった。
【０１０４】
そのため、割れた錠剤が分包された分包紙がないか、分包後に薬剤師が１包１包チェックし、該当する分包紙がある場合には、その包に分包されていた錠剤分の処方データをＰＣや分包機を介して手動で作成し、再度分包する必要があったため、非常に手間であった。
【０１０５】
ところで、光学センサ２０４は、図９のように複数に割れた錠剤５０が当該光学センサ２０４を通過すると、２錠の錠剤が通過したと検知することが可能である。
【０１０６】
そこで、本願発明では、１回の錠剤取り出し動作で、２錠の錠剤を光学センサ２０４で検出した場合（検知部で第１の錠剤を検知してから、次に供給部から錠剤が供給されるまでの間に第２の錠剤を検知した場合）に、錠剤が割れたことにより２錠検出したと判定し、当該錠剤が包装された包に分包されていた錠剤分の処方データを自動で作成する。
【０１０７】
そうすることで、割れた錠剤が包装されている包がないかの確認や、割れた錠剤が包装された包に分包されていた錠剤分の処方データの手動での作成を薬剤師が行う手間を削減する。
【０１０８】
では、ここから、図１０以降の各図面を用いて本発明の処理について説明する。
【０１０９】
まず、ＰＣ３００と、錠剤供給システム２００のハードウェア構成の一例について図１３を用いて説明する。
【０１１０】
図１３では、ＰＣ３００のＣＰＵ３０と、包装装置５のＣＰＵ５７と、錠剤供給装置１０のＣＰＵ１１とがそれぞれ連携して、包装装置５が制御する各装置（各ユニット）、及び、錠剤供給装置１０が制御する各装置（各ユニット）の各種動作を制御している一例を示している。しかし１つのＣＰＵが、錠剤供給システムの全ての各装置を制御する構成でも構わない。
【０１１１】
まずＰＣ３００のハードウェア構成について説明する。ＰＣ３００のＣＰＵ３０は、システムバスに接続される各デバイスやコントローラを統括的に制御することができる。また、ＲＯＭ３１あるいは外部メモリ３６には、ＣＰＵ３０の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ３３は、ＣＰＵ３０の主メモリ、ワークエリア等として機能する。ＣＰＵ３０は、処理の実行に際して必要なプログラム等をＲＡＭ３３にロードして、プログラムを実行することで各種動作を実現するものである。
【０１１２】
また、ＣＰＵ３０は、キーボードや不図示のマウス等の入力端末からの入力を制御する。ビデオコントローラ（ＶＣ）は、ディスプレイ３４等の表示部への表示を制御することもでき、さらに、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク或いはＰＣＭＣＩＡカードスロットにアダプタを介して接続されるコンパクトフラッシュ（登録商標）メモリ等の外部メモリ３６へのアクセスを制御することもできる。
【０１１３】
またＩ／Ｆ３２は、ネットワークを介して外部機器と接続・通信するものであり、本実施形態においては包装装置５のＩ／Ｆ５５０と通信可能に接続されている。
【０１１４】
次に、包装装置５のハードウェア構成について説明する。包装装置５のＣＰＵ５７は、バスに接続されている各デバイスを統括的に制御することができる。ＲＯＭ５２２にはＣＰＵ５７の制御ブログラムや各種制御プログラムが記憶されている。ＲＡＭ５３は、ＣＰＵ５７が動作するためのシステムワークメモリとして機能する。ＣＰＵ５７は、タッチパネル式のディスプレイ１０１に対して表示制御したり、ディスプレイ１０１のタッチパネル機能を入力端末６２としてユーザから情報の入力を受け付けたり、プリンタ５０６に印刷指示を出したりすることもできる。さらにＣＰＵ５７は、包装装置５の散薬投入部１０３から投入された散薬を１包に包装する際に動作させる散薬分包機構５５を制御したり、ユーザから手撒き投入部１０２に投入された錠剤を包装する際に動作させる手撒き投入機構５６を制御したりすることができる。そして包装装置５と錠剤供給装置１０とは、包装装置５のＩ／Ｏ５４と錠剤供給装置１０のＩ／Ｏ１２とで通信可能に接続されている。
【０１１５】
次に、錠剤供給装置１０のハードウェア構成について説明する。錠剤供給装置１０のＣＰＵ１１は、バスに接続されている各デバイスを統括的に制御することができる。ＲＯＭ１４にはＣＰＵ１１の制御ブログラムや各種制御プログラムが記憶されている。ＲＡＭ１３は、ＣＰＵ１１が動作するためのシステムワークメモリとして機能する。ＣＰＵ１１は、さらに錠剤取出機構１５における取出動作を制御したり、錠剤シートを搬送する搬送機構１６を制御したりすることもできる。
【０１１６】
このようなハードウェア構成においては、以下のように錠剤取出を行うように制御することができる。まず、包装装置５のＣＰＵ５７が、錠剤供給装置１０のＣＰＵ１１に対して、錠剤の取出動作命令を送信する。
【０１１７】
そして、錠剤供給装置１０のＣＰＵ１１が、当該取出動作命令に従って、錠剤取出機構１５や搬送機構１６を制御して錠剤取出動作を行わせることができる。また、錠剤供給装置１０のＣＰＵ１１は、包装装置５のＣＰＵ５７に対して、錠剤取出動作の状況を示す動作情報を送信することもできる。
【０１１８】
次に、図１０を用いて本発明における、薬剤供給処理について説明する。図１０は、処方データを取得してから分包されるまでの薬剤供給処理の一例を示す図であり、図１０に示す各ステップの処理は、錠剤供給装置１０のＣＰＵ１１が図１０に示す処理を行うものとする。
【０１１９】
ステップＳ１００１において、錠剤供給装置１０により錠剤を供給する処方データを錠剤供給装置１０と通信可能なレセプトコンピュータから受信することで、取得する。
【０１２０】
ここで、図１１を用いて、図１０のステップＳ１００１で錠剤供給装置１０が取得する処方データについて説明する。
【０１２１】
図１１の処方データ１１００は、ステップＳ１００１において、錠剤供給装置１０がレセプトコンピュータから取得し、錠剤供給装置１０のメモリで記憶する処方データの一例を示す図である。
【０１２２】
処方Ｎｏ．１１０１は、各処方データを識別するための番号を示す。服用パターン１１０２は、各処方データに含まれる薬剤の服用パターン（左から朝、昼、夜何錠ずつ服用するか）を示す。
【０１２３】
図１１の全分包数１１０３は、錠剤名１１０５に示す薬剤を分包する包の数を示す。１包には同一の処方データに含まれる同じ服用タイミングの薬剤が全て包装される。つまり、図１１の「処方Ｎｏ．１」の場合、「錠剤Ａ」１錠と、「錠剤Ｃ」２錠が１つの包に包装されることになる。
【０１２４】
図１１の全錠剤数１１０４は、錠剤名１１０５に示す錠剤が分包される数の合計を示す。錠剤名１１０５は、各錠剤を特定するための薬剤名を示す。
【０１２５】
患者名１１０６は、処方Ｎｏ．１１０１に示される処方データの処方対象となっている患者の名前を示す。ユニットＮｏ．１１０７は、錠剤名１１０５に示す錠剤が収容された錠剤シートをセットする錠剤取出ユニット１を識別する番号を示す。
【０１２６】
処方データ（追加分）１１１０は、後述する図１０のステップＳ１００５で作成される処方データである。
【０１２７】
なお、本実施形態では、錠剤供給装置１０がレセプトコンピュータから処方データを受信するとしたが、他の実施例として、錠剤供給装置１０のディスプレイ１０１や、ＰＣ３００のディスプレイ３４に表示される処方入力画面を介してユーザからこれから包装する薬品の情報（処方データ）の入力を受け付けても良い。以上で図１１の説明を終了し、図１０の説明に戻る。
【０１２８】
ステップＳ１００２において、錠剤供給装置１０は、錠剤供給装置１０のディスプレイ１０１を介して、ユーザから分包開始指示を受け付けることで、分包動作を行う。具体的には錠剤供給装置１０は、ステップＳ１００３の錠剤取り出し動作を開始する。なお、ステップＳ１００２のタイミングで、包装装置５も、錠剤供給装置１０で取り出した錠剤の分包を開始する。
【０１２９】
ステップＳ１００３において、錠剤供給装置１０は、内側押圧体８３と外部押圧体８４により錠剤取出ユニット１にセットされた錠剤シートからステップＳ１００１で取得した処方データに含まれる数分の錠剤を取り出す動作を、処方Ｎｏ．１１０１単位で行う。具体的には、図１１の「処方Ｎｏ．１」の場合、「錠剤Ａ」が収容された錠剤シートがユニットＮｏ．１に、「錠剤Ｃ」が収容された錠剤シートがユニットＮｏ．２に、事前にユーザによりセットされているので、「錠剤Ａ」と「錠剤Ｃ」の取り出し動作を実行する。
【０１３０】
ステップＳ１００４において、錠剤供給装置１０は、１回の錠剤取り出し動作（錠剤シートの錠剤収容部を、内側押圧体８３または外部押圧体８４で１回押圧する動作）で、２錠の錠剤を光学センサ２０４で検出したかを判定する。
【０１３１】
より具体的には、１回錠剤取り出し動作を行って、光学センサ２０４で錠剤を検知してから、次の錠剤取り出し動作を行うまでに再度光学センサ２０４で錠剤を検知した場合に２錠の錠剤を光学センサ２０４で検出したと判定する。なお、他の実施形態として、１回錠剤取り出し動作を行って、光学センサ２０４で錠剤を検知してから、所定の時間（例えば１秒）が経過するまでに再度光学センサ２０４で錠剤を検知した場合に２錠の錠剤を光学センサ２０４で検出したと判定しても良い。
【０１３２】
錠剤供給装置１０は、２錠の錠剤を光学センサ２０４で検出したならば、ステップＳ１００５に処理を移行し、２錠の錠剤を光学センサ２０４で検出しなければ、ステップＳ１００７に処理を移行する。
【０１３３】
ステップＳ１００４と、後述するステップＳ１４０４は、本発明における、前記検知部で第１の錠剤を検知してから、次に前記供給部から錠剤が供給されるまでの間に第２の錠剤を検知したかを判定する判定手段の一例である。
【０１３４】
ステップＳ１００５において、錠剤供給装置１０は、ステップＳ１００４で２錠検出したと判定された錠剤が包装される包と同じ包に包装される錠剤すべての追加の処方データを作成する。
【０１３５】
ステップＳ１００５の処理を、図１１の処方データ１１００を例として、より具体的に説明する。まず状況としては、処方ＮＯ．１１０１が「１」の処方データに含まれる錠剤を分包中であり、服用パターン１１０２のうち夜分（服用パターン１１０２の一番右の数字）の錠剤を取り出し中であるとする。
【０１３６】
その状況において、錠剤名１１０５が「錠剤Ｃ」となっている錠剤が割れて、光学センサ２０４で２錠検出すると、「錠剤Ｃ」を１錠と、錠剤Ｃと一緒に１包に分包される「錠剤Ａ」２錠の追加の処方データを作成する。そうして、ステップＳ１００５で作成される処方データとは、図１１の処方データ（追加分）１１１０である。
【０１３７】
割れていない「錠剤Ａ」の分の処方データも作成する理由は、１包に包装されてしまうと、割れた「錠剤Ｃ」を取り出すためには１包化した分包紙を破る必要があるが、破ってしまうとその包は結局患者に渡せないため、同じ包に分包する「錠剤Ａ」の分の処方データも作成する。
【０１３８】
ステップＳ１００５と、後述するステップＳ１４１０は、本発明における、前記判定手段により、次に前記供給部から錠剤が供給されるまでの間に前記第２の錠剤を検知したと判定されることを条件に、前記第１の錠剤、または前記第２の錠剤に基づいて処方データを生成する生成手段の一例である。
【０１３９】
ステップＳ１００６において、錠剤供給装置１０は、ステップＳ１００４で２錠検出したと判定された錠剤が包装される包に識別情報を印字するように包装装置５に指示する。
【０１４０】
ステップＳ１００６で錠剤供給装置１０から包装装置５に指示され、包装装置が２錠検出したと判定された錠剤が包装される包に印字する識別情報とは、例えば、図１２に示す情報である。
【０１４１】
図１２は、包装装置５により分包後の分包紙のイメージの一例を示す図である。図１２の例では、３包目（図１２の分包紙１２０１）に、割れた錠剤が分包されているため、１包目や２包目には錠剤名や服用タイミングを印字し、３包目には錠剤名や服用タイミングを印字することなく、割れた錠剤が包装されていることをユーザに認識させるための情報が印字されている。そうすることで、ユーザは容易に廃棄すべき包を認識することが可能となる。
【０１４２】
なお、ステップＳ１００５で作成された処方データ（追加分）１１１０の錠剤が包装された包には、本来廃棄した包に印字されるはずであった錠剤名や服用タイミングが印字される。
【０１４３】
ステップＳ１００７において、錠剤供給装置１０は、ステップＳ１００１で取得した処方データ１１００のうちのひとつの処方データに含まれる錠剤をすべて取り出したかを判定する。錠剤供給装置１０は、錠剤をすべて取り出したならば、ステップＳ１００８に処理を移行し、そうでなければステップＳ１００３に処理を移行する。
【０１４４】
なお、ステップＳ１００８で処方データ（追加分）１１１０があると判定された後に、ステップＳ１００７に処理を移行した場合には、処方データ（追加分）１１１０の処方データ分の錠剤を取り出したかをステップＳ１００７で判定する。
【０１４５】
ステップＳ１００８において、錠剤供給装置１０は、ステップＳ１００５において、処方データ（追加分）１１１０が作成されたかを判定する。処方データ（追加分）１１１０が作成されたならば、錠剤取出ユニット１にセットされた錠剤シートを排出することなく、ステップＳ１００３に処理を戻し、処方データ（追加分）１１１０が作成されてなければステップＳ１００９に処理を移行する。
【０１４６】
ステップＳ１００９において、錠剤供給装置１０は、錠剤取出ユニット１にセットされた錠剤シートを排出する。
【０１４７】
なお、処方データ分の錠剤の取り出しが終了したときに錠剤取出ユニット１の錠剤シートを取り出し忘れ、次の処方データの分包を行うときに、その取り出し忘れた錠剤シートから錠剤を取り出してしまうことを防ぐために、通常であれば処方データ分の錠剤の取り出しが終了すると錠剤シートを排出するが、本発明では、処方データ分の錠剤の取り出しが終了しても追加の処方データがある場合（ステップＳ１００８でＹＥＳと判定された場合）には、追加の処方データの錠剤を取り出すために錠剤取出ユニット１に錠剤シートを改めてセットしなおす手間を削減するために、錠剤シートを排出しない。
【０１４８】
ステップＳ１０１０において、錠剤供給装置１０は、ステップＳ１００１で取得した処方データ１１００のうち、まだ分包を行っていない処方データがあるかを判定する。錠剤供給装置１０は、まだ分包を行っていない処方データがあるならばステップＳ１００２に処理を移行し、そうでなければ、本処理を終了する。
【０１４９】
なお、本発明では、錠剤供給装置１０のＣＰＵ１１が図１０に示す各処理を行うとしたが、他の実施形態として、ステップＳ１００１、ステップＳ１００２、ステップＳ１００５、ステップＳ１００６の処理は、ＰＣ３００のＣＰＵ３０が実行するとしてもよい。以上で図１０の説明を終了する。
【０１５０】
次に、図１４を用いて、薬剤供給処理の他の実施形態について説明する。図１０の実施形態では、錠剤が割れると自動でその分の包を分包し直していたが、本錠剤供給システムを利用する薬局や、患者によっては、多少錠剤が欠けたぐらいであれば、分包し直さなくても良いと判断する場合がある。そこで、図１４に示す実施形態では、錠剤が割れた場合に、分包し直すかをユーザに選択させることで、ユーザの使い勝手を向上させる。
【０１５１】
なお、図１４のステップＳ１４０１〜ステップＳ１４０４までの各処理は図１０のステップＳ１００１〜ステップＳ１００４までの各処理と同じ処理であるため説明は省略する。
【０１５２】
ステップＳ１４０５において、錠剤供給装置１０は、ステップＳ１４０４で２錠検出したと判定された錠剤が包装される包と同じ包に包装される錠剤すべてを含む処方データの情報を錠剤供給装置１０のメモリに一時的に記憶する。ステップＳ１４０５でメモリに一時的に記憶される情報とは、後述するステップＳ１４１０で処方データ（追加分）１１１０を生成可能な情報であり、処方データ（追加分）１１１０に含まれる情報と同一の情報である。
【０１５３】
ステップＳ１４０６において、錠剤供給装置１０は、ステップＳ１４０１で取得した処方データ１１００のうちのひとつの処方データに含まれる錠剤をすべて取り出したかを判定する。錠剤供給装置１０は、錠剤をすべて取り出したならば、ステップＳ１４０７に処理を移行し、そうでなければステップＳ１４０３に処理を移行する。
【０１５４】
なお、ステップＳ１４１０で処方データ（追加分）１１１０を作成した後に、ステップＳ１４０６に処理を移行した場合には、処方データ（追加分）１１１０の処方データ分の錠剤を取り出したかをステップＳ１４０６で判定する。
【０１５５】
ステップＳ１４０７において、錠剤供給装置１０は、ステップＳ１４０５の処理を実行することによって、錠剤供給装置１０のメモリに情報が一時的に記憶されているかを判定する。錠剤供給装置１０は、メモリに情報が一時的に記憶されているならばステップＳ１４０８に処理を移行し、記憶されていなければ、ステップＳ１４１１に処理を移行する。
【０１５６】
ステップＳ１４０８において、錠剤供給装置１０は、図１５に示す選択画面を表示する。図１５はステップＳ１４０８で錠剤供給装置１０のディスプレイ１０１に表示される選択画面の一例であり、ＹＥＳボタン１５０１が選択されると処方データ（追加分）１１１０を作成し、ＮＯボタン１５０２が選択されると処方データ（追加分）１１１０を作成しない。
【０１５７】
ステップＳ１４０９において、錠剤供給装置１０は、図１５の画面でＹＥＳボタン１５０１が選択されたかを判定する。錠剤供給装置１０は、ＹＥＳボタン１５０１が選択されたならば、ステップＳ１４１０に処理を移行し、ＮＯボタン１５０２が選択されたならば、ステップＳ１４０５でメモリに一時的に記憶した情報を削除し、ステップＳ１４１１に処理を移行する。
【０１５８】
ステップＳ１４１０において、錠剤供給装置１０は、ステップＳ１４０５でメモリに一時的に記憶した情報に基づいて処方データ（追加分）１１１０を作成する。
【０１５９】
ステップＳ１４１１において、錠剤供給装置１０は、錠剤取出ユニット１にセットされた錠剤シートを排出する。
【０１６０】
ステップＳ１４１２において、錠剤供給装置１０は、ステップＳ１４０１で取得した処方データ１１００のうち、まだ分包を行っていない処方データがあるかを判定する。錠剤供給装置１０は、まだ分包を行っていない処方データがあるならばステップＳ１４０２に処理を移行し、そうでなければ、本処理を終了する。
【０１６１】
なお、本発明では、錠剤供給装置１０のＣＰＵ１１が図１４に示す各処理を行うとしたが、他の実施形態として、ステップＳ１４０１、ステップＳ１４０２、ステップＳ１４０５〜ステップＳ１４１０の処理は、ＰＣ３００のＣＰＵ３０が実行するとしてもよい。以上で図１４の説明を終了する。
【０１６２】
以上、本発明によると、分包の過程で錠剤が割れることに起因して追加の分包を行う際のユーザの手間を削減することができる。
【０１６３】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１６４】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１６５】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１６６】
その場合、プログラムの機能を有していれば、オブジェクトコード、インタプリタにより実行されるプログラム、ＯＳに供給するスクリプトデータ等の形態であってもよい。
【０１６７】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１６８】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１６９】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１７０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１７１】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１７２】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１７３】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１７４】
５      包装装置
１０    錠剤供給装置
３００  ＰＣ
【図１】
2019058591.tif 000003
【図２】
2019058591.tif 000004
【図３】
2019058591.tif 000005
【図４】
2019058591.tif 000006
【図５】
2019058591.tif 000007
【図６】
2019058591.tif 000008
【図７】
2019058591.tif 000009
【図８】
2019058591.tif 000010
【図９】
2019058591.tif 000011
【図１０】
2019058591.tif 000012
【図１１】
2019058591.tif 000013
【図１２】
2019058591.tif 000014
【図１３】
2019058591.tif 000015
【図１４】
2019058591.tif 000016
【図１５】
2019058591.tif 000017